(57)【要約】【課題】本発明は、聴取者が聴取しやすいようワイド効果を制御してステレオ音声を出力する携帯電話機を提供する。【解決手段】携帯電話機が備えるワイド効果制御部１０１において、開閉検出部１１０が前記携帯電話機が折り畳まれた状態であると検出した場合に、音源ＬＳＩから取得するステレオ音声信号について、音量検出部１３３が検出するステレオ音声信号の音量と、位相差検出部１３４が検出する右及び左音声信号の位相差との乗算結果に基づき、位相差強調部１３６が、前記ステレオ音声信号の左音声信号と右音声信号の位相差の拡大度合を、折り畳まれていない時よりも小さくして出力する。【選択図】図３
2008060673.tif 000002
【特許請求の範囲】
【請求項１】
音声信号に擬似サラウンド効果を施してステレオ音声信号を再生する携帯電話機であって、
ステレオ音声信号をスピーカに出力する出力手段と、
擬似サラウンド効果の低減要否を判定する判定手段と、
低減要と判定された場合に、前記ステレオ音声信号を、左音声信号と右音声信号の位相差の強調度合を小さくして、前記出力手段に出力する位相差強調手段と
を備えることを特徴とする携帯電話機。
【請求項２】
前記携帯電話機は、開閉式であり、
前記スピーカは、開状態において露出し、閉状態において内向する位置に備えられ、
前記判定手段は、自機が閉状態か否かを判定し、閉状態である場合に擬似サラウンド効果の低減要と決定する
ことを特徴とする請求項１に記載の携帯電話機。
【請求項３】
前記携帯電話機は、折り畳み式であり、折り畳まれることにより閉状態となる
ことを特徴とする請求項２に記載の携帯電話機。
【請求項４】
前記判定手段は、環境音の入力を受け付け、入力音量が所定量より多いか否かを判定し、多い場合に擬似サラウンド効果の低減要と決定する
ことを特徴とする請求項１に記載の携帯電話機。
【請求項５】
前記位相差強調手段は、低減要と判定された場合に動作し、
前記左音声信号と、前記右音声信号の位相差値を算出する位相差算出部と、
前記ステレオ音声信号の音量値を算出する音量算出部と、
算出された前記位相差値と、前記音量値を乗算する乗算部と、
低減要と判定された場合に適用する予め定められた、前記乗算結果値に応じた強調度合に基づき、前記左音声信号と、前記右音声信号との位相差を強調する強調部と、
位相差を強調された前記右及び左音声信号を前記出力手段に出力する出力部と
を含むことを特徴とする請求項１に記載の携帯電話機。
【請求項６】
所定値未満の乗算結果値それぞれに対応する強調度合は、同一値であり、
前記強調部は、さらに、
前記乗算結果値が所定値未満であった場合に、前記同一値に基づき、前記左音声信号と、前記右音声信号との位相差を強調する
ことを特徴とする請求項５に記載の携帯電話機。
【請求項７】
所定値以上の乗算結果値それぞれに対応する強調度合は、乗算結果値の増加に対応して一定割合で減少し、
前記強調部は、さらに、
前記乗算結果値が所定値以上であった場合に、前記乗算結果値に対応する強調度合に基づき、前記左音声信号と、前記右音声信号との位相差を強調する
ことを特徴とする請求項５に記載の携帯電話機。
【請求項８】
前記強調部は、
低減要と判定された場合に適用する予め定められた、前記乗算結果値とに応じた強調度合に基づき、
左音声信号から、右音声信号相当の信号に前記強調度合を乗じた信号を減じ、
右音声信号から、左音声信号相当の信号に前記強調度合を乗じた信号を減ずる
ことを特徴とする請求項５に記載の携帯電話機。
【発明の詳細な説明】
【技術分野】
【０００１】
本発明は、音声信号を出力する携帯電話機に関し、特に、聴取が容易になるよう前記音声信号に施す擬似サラウンド効果を制御する技術に関する。
【背景技術】
【０００２】
昨今、日本国内で流通する携帯電話機では、音楽ファイルを高音質にステレオ再生するものが主流となっている。ステレオ再生に用いる２個のスピーカは、携帯電話機の携帯性確保のために非常に狭い間隔で配置されることが多いので、聴取者が受けるステレオ音の広がり感（ステレオ感）は、相当制約されている。
前述の問題を改善する技術の１つとして、特許文献１には、ＤＳＰ（Ｄｉｇｉｔａｌ  Ｓｉｇｎａｌ  Ｐｒｏｃｅｓｓｏｒ）による信号処理により、音声信号の高域の音圧レベルの低下を補償して効果的なサラウンド効果を得るものが開示されている。
【０００３】
ここで、ワイド効果は、広がり感を持つ信号成分を強調する、すなわち、左右チャンネルの信号の位相の差を強調し、ステレオ感を増加させることであって、サラウンド効果や擬似サラウンド効果を含む。
【特許文献１】特開２００４−３４９８７８号公報
【発明の開示】
【発明が解決しようとする課題】
【０００４】
しかしながら、最近主流である折り畳み式の携帯電話機には、音楽再生や着信音の鳴動に使用するスピーカが、折り畳み時には、対向する筐体に近接してしまうものがあり、このような折り畳み状態で、サラウンド効果の働いた音楽等を再生すると、左右チャネルの位相差が強調された音が非常に狭い空隙内で混合されるため、音圧が下がってしまうという問題がある。この問題は、折り畳み式に限らず、スライド式など開閉式の携帯電話機についても同様である。
【０００５】
これにより、音楽再生の際に、音圧低下の生じ易い残響音の多いパートのみ音圧が下がり、楽曲内のパート毎に音圧のばらつきが生じることから、聴取者が再生されている音楽に不自然さを感じてしまったり、着信があった際に、音圧の低下により着信音が鳴っているのに聴取者が気付かないという事態も起こりうる。
また、携帯電話機の周囲の環境音が大きい場合に、ワイド効果を効かせた音声を出力した場合にも、前述と同様、出力音声の不自然さや、聴取者が着信音に気付かないという問題が生じうる。
【０００６】
上記問題に鑑み、本発明は、ワイド効果をある程度維持した音声を出力しつつ、聴取者が音声を聴取しやすい携帯電話機を提供することを目的とする。
【課題を解決するための手段】
【０００７】
上記課題を解決するために、本発明は、音声信号に擬似サラウンド効果を施してステレオ音声信号を再生する携帯電話機であって、ステレオ音声信号をスピーカに出力する出力手段と、擬似サラウンド効果の低減要否を判定する判定手段と、低減要と判定された場合に、前記ステレオ音声信号を、左音声信号と右音声信号の位相差の強調度合を小さくして、前記出力手段に出力する位相差強調手段とを備える。
【発明の効果】
【０００８】
本発明の携帯電話機は、上述の構成を備えることにより、擬似サラウンド効果の強調度合を増すことにより却ってステレオ音声が聴取者に聞こえにくくなる場合に、擬似サラウンド効果を低減し、聴取者にとって聴取しやすいステレオ音声を出力することができる。
また、前記携帯電話機は、開閉式であり、前記スピーカは、開状態において露出し、閉状態において内向する位置に備えられ、前記判定手段は、自機が閉状態か否かを判定し、閉状態である場合に擬似サラウンド効果の低減要と決定することとしてもよい。
【０００９】
この構成によれば、開閉式の携帯電話機において、閉状態である場合に、ワイド効果を低減して、左及び右音声信号が微小空隙内にて混合されて音圧が低下するのを防ぎ、聴取者の期待する音量感を得ることができる音声を出力することができる。
また、前記携帯電話機は、折り畳み式であり、折り畳まれることにより閉状態となることとしてもよい。
【００１０】
この構成によれば、折り畳み式の携帯電話機において、折り畳まれた状態である場合に、擬似サラウンド効果を低減して、左及び右音声信号が微小空隙内にて混合されて音圧が低下するのを防ぎ、聴取者の期待する音量感を得ることができる音声を出力することができる。
また、前記判定手段は、環境音の入力を受け付け、入力音量が所定量より多いか否かを判定し、多い場合に擬似サラウンド効果の低減要と決定することしてもよい。
【００１１】
この構成によれば、携帯電話機の周辺の環境音が大きい場合に、擬似サラウンド効果を低減して、より明瞭な音声を出力し、聴取者にとって聴取しやすいステレオ音声を出力することができる。
また、前記位相差強調手段は、低減要と判定された場合に動作し、前記左音声信号と、前記右音声信号の位相差値を算出する位相差算出部と、前記ステレオ音声信号の音量値を算出する音量算出部と、算出された前記位相差値と、前記音量値を乗算する乗算部と、低減要と判定された場合に適用する予め定められた、前記乗算結果値に応じた強調度合に基づき、前記左音声信号と、前記右音声信号との位相差を強調する強調部と、位相差を強調された前記右及び左音声信号を前記出力手段に出力する出力部とを含むこととしてもよい。
【００１２】
この構成によれば、前記位相差と、前記音量値との大きさに応じて予め定められた適切な強調度合に基づきステレオ音声の左及び右音声信号の位相差を強調し、出力し、聴取者にとって聴取しやすいステレオ音声を出力することができる。
また、所定値未満の乗算結果値それぞれに対応する強調度合は、同一値であり、前記強調部は、さらに、前記乗算結果値が所定値未満であった場合に、前記同一値に基づき、前記左音声信号と、前記右音声信号との位相差を強調することとしてもよい。
【００１３】
また、所定値以上の乗算結果値それぞれに対応する強調度合は、乗算結果値の増加に対応して一定割合で減少し、前記強調部は、さらに、前記乗算結果値が所定値以上であった場合に、前記乗算結果値に対応する強調度合に基づき、前記左音声信号と、前記右音声信号との位相差を強調することとしてもよい。
この構成によれば、前記乗算結果値に基づいて強調度合を変化させることにより聴取者が感じる不自然さをなくし、聴取者にとって聴取しやすいステレオ音声を出力することができる。
【００１４】
また、前記強調部は、低減要と判定された場合に適用する予め定められた、前記乗算結果値とに応じた強調度合に基づき、左音声信号から、右音声信号相当の信号に前記強調度合を乗じた信号を減じ、右音声信号から、左音声信号相当の信号に前記強調度合を乗じた信号を減ずることとしてもよい。
この構成によれば、前記強調度合に応じて左音声信号と右音声信号とを相互に減じる簡易な構成によりワイド効果を実現することができる。
【発明を実施するための最良の形態】
【００１５】
本発明の携帯電話機は、ワイド効果を施してステレオ音声を出力する折り畳み式の携帯電話機であって、折り畳み時において又は周囲の騒音などの環境音が大きい場合において、ステレオ音声に施すワイド効果の度合いを適切に制御し前記ステレオ音声を出力するものである。
これにより、携帯電話機が折り畳まれた状態で、ステレオ音声を出力する場合に、ステレオ音声の左及び右音声信号が微小空隙内にて混合されて音圧が低下することにより、聴取者が期待する音量感を得ることができなくなるのを防ぐ。
【００１６】
また、ステレオ音声による音楽再生の際に、音圧低下の生じ易い残響音の多いパートのみ音圧が下がり、楽曲内のパート毎に音圧のばらつきが生じることから、聴取者が再生されている音楽に不自然さを感じてしまったり、着信があった際に、音圧の低下により着信音が鳴っているのに聴取者が気付かないという事態を防ぐ。
また、騒音などの環境音が大きい場合に、ワイド効果を小さくして、より明瞭なステレオ音声を出力し、ワイド効果を維持しつつも聴取者にとって聴取しやすい音声を出力する。
【００１７】
以下、本発明の実施形態に係る携帯電話機１００について図示例と共に説明する。
本発明の携帯電話機１００は、正面図である図１や、側面図図２に示すように、上部筐体１２０と、下部筐体１３０とが、開閉自在に連結してなり、上部筐体がＬスピーカ１２１及びＲスピーカ１２２を備え、下部筐体１３０が、マイクロフォン１５１を備える折り畳み式の携帯電話機である。
【００１８】
携帯電話機１００は、音楽などステレオ音声の再生機能を備え、音楽の視聴時又は着信検出時に、Ｌスピーカ１２１が、ステレオ音声の左チャンネルの音声を放射し、Ｒスピーカ１２２が、右チャンネルの音声を放射する。
携帯電話機１００は、図１（ａ）及び図２（ａ）に示すような開状態と、図１（ｂ）及び図２（ｂ）に示すような閉状態を取りうる。
【００１９】
携帯電話機１００は、一般的な携帯電話機の機能を備えており、更に、ワイド効果制御を行うことを特徴としている。
よって、以下、携帯電話機１００においてワイド効果制御を行うワイド効果制御部１０１について、図３〜図５を用いて説明する。
ここで、図３は、ワイド効果制御部１０１の構成を示すブロック図であり、図４は、ワイド効果制御部１０１が行うワイド効果制御処理を模式的に示す図である。
【００２０】
ワイド効果制御部１０１は、図３に示すように、音楽や着信音などに係るステレオ音声の左チャネル信号及び右チャネル信号を出力する音声ＬＳＩ（図示せず）と、Ｌスピーカ１２１及びＲスピーカ１２２とに接続されており、ＡＤ変換部１３１と、ＡＤ変換部１３２と、音量検出部１３３と、位相差検出部１３４と、乗算器１３５と、位相差強調部１３６と、ＤＡ変換部１３７と、ＤＡ変換部１３８と、増幅器１３９と、増幅器１４０とを含んで構成される。
【００２１】
ＡＤ変換部１３１は、音源ＬＳＩから、ステレオ音声の左チャネル信号（アナログ信号）を常時受信しており（ステップＳ１０１）、所定のサンプリング周期で、１６ビット精度のＡＤ（Ａｎａｌｏｇ  ｔｏ  Ｄｉｇｉｔａｌ）変換を行い（ステップＳ１０２）、ＡＤ変換の結果の１６ビットのデジタルデータである左チャネルデータ（ＬＤ）を、音量検出部１３３と、位相差検出部１３４と、位相差強調部１３６とに出力する。
【００２２】
ＡＤ変換部１３２は、ＡＤ変換部１３１と同様に、音源ＬＳＩから、ステレオ音声の右チャネル信号（アナログ信号）を常時受信しており（ステップＳ１１１）、所定のサンプリング周期で、１６ビット精度のＡＤ変換を行い、ＡＤ変換の結果の１６ビットのデジタルデータである右チャネルデータ（ＲＤ）を、音量検出部１３３と、位相差検出部１３４と、位相差強調部１３６とに出力する。
【００２３】
ここで、ＲＤ及びＬＤは、−３２７６７〜３２７６７の値を示し、また、前記サンプリング周期は、短い程望ましいが、コストなどの観点から設計時に決定される。
音量検出部１３３は、ステレオ音声の音量を検出する。
音量検出部１３３は、音量の検出の一例として、ＡＤ変換部１３１からＬＤを受信し、ＡＤ変換部１３２からＲＤを受信し、音量値ＡＶを次式により算出する（ステップＳ１０３）。
【００２４】
ＡＶ  ＝  （ＬＤ＋ＲＤ＋ＭＡ）／（２×ＭＡ）  （０≦ＡＶ≦１）
ここで、ＭＡは、ＬＤ、ＲＤが取りうる値の最大値である所定のオフセット値（本実施形態では、ＭＡ＝３２７６７）である。ＭＡは、ＬＤとＲＤの加算値を０以上の値に補正するために、処理の都合上定めた値である。また、ＡＶは、ＬＤ＋ＲＤ＋ＭＡを、２×ＭＡで除算することにより、０〜１の値に正規化されている。
【００２５】
音量検出部１３３は、ＡＶを乗算器１３５に対し出力する。
上記の音量値ＡＶの決定方法は、一例であり、他の方法により音量の値を求めてもよい。
位相差検出部１３４は、左チャネルの音声信号と、右チャネルの音声信号の位相差を算出する。
【００２６】
位相差検出部１３４は、位相差算出の一例として、ＡＤ変換部１３１からＬＤを受信し、ＡＤ変換部１３２からＲＤを受信し、受信したＬＤとＲＤの示す値の差分の絶対値を計算し、当該絶対値を２×ＭＡで除算することにより、０〜１の値に正規化し、正規化した結果を位相差値（ＰＶ）として、乗算器１３５に対し出力する（ステップＳ１１３）。ＰＶは次式で表される。
【００２７】
ＰＶ  ＝  ｜ＬＤ−ＲＤ｜／（２×ＭＡ）            （０≦ＡＶ≦１）
乗算器１３５は、音量検出部１３３からＡＶを受信し、位相差検出部１３４からＰＶを受信し、ＡＶとＰＶとを乗算し、乗算結果である乗算値ＭＶを位相差強調部１３６に出力する（ステップＳ１３１）。ＭＶは、次式で表される。
ＭＶ  ＝  ＡＶ  ×  ＰＶ      （０≦ＭＶ≦１）
開閉検出部１１０は、上部筐体１２０と下部筐体１３０の接合部分に付されている開閉センサーであり、上部筐体１２０と下部筐体１３０とが、前記開状態、前記閉状態のいずれであるかを判定し、開状態の場合は値が１であり、閉状態の場合は値が０である開閉判定結果ＪＶを位相差強調部１３６へと出力する（ステップＳ１２１）。
【００２８】
位相差強調部１３６は、乗算器１３５からＭＶを取得し、ＡＤ変換部１３１からＬＤを取得し、開閉検出部１１０からＪＶを取得し、ＬＤに対し、位相差強調処理を行う。
位相差強調部１３６は、位相差強調処理の一例として、まず、処理に使用する変数ｍに、取得したＭＶを代入する（ステップＳ１３２）。
次に、位相差強調部１３６は、ＪＶが１であるか０であるかを判定する（ステップＳ１３３）。
【００２９】
位相差強調部１３６は、ワイド効果を行うためのＬＤとＲＤの混合比率ｎを、ＪＶが１である場合には、図５（ａ）に示すグラフに従い決定し、ＪＶが０である場合には図５（ｂ）に示すグラフに従い決定する。
位相差強調部１３６は、ステップＳ１３３において、ＪＶ＝１であった場合（ステップＳ１３３：ＪＶ＝１）、下式に従い、ｎを決定する。
【００３０】
ｎ  ＝  Ｎ          （０≦ｍ≦１−Ｎの場合）（ステップＳ１４２）
ｎ  ＝  １  −  ｍ  （１−Ｎ  ＜  ｍの場合）（ステップＳ１４３）
また、ステップＳ１３３において、ＪＶ＝０であった場合（ステップＳ１３３：ＪＶ＝０）、下式に従い、ｎを決定する。
ｎ  ＝  Ｎ’        （０≦ｍ≦１−Ｎ’の場合）（ステップＳ１４６）
ｎ  ＝  １  −  ｍ  （１−Ｎ’  ＜  ｍ、  Ｎ’＜Ｎの場合）（ステップＳ１４７）
ここで、Ｎ、Ｎ’は、Ｎ’＜Ｎを満たし、具体的な値は、システム設計時に決定される。
【００３１】
次に、位相差強調部１３６は、混合比率ｎを用いて下式により、位相差強調後の左チャネル強調データ（ＬＤ’）と、右チャネル強調データ（ＲＤ’）を算出する（ステップＳ１５１）。
ＬＤ’  ＝  ＬＤ  −  ｎ×ＲＤ
ＲＤ’  ＝  ＲＤ  −  ｎ×ＬＤ
次に、位相差強調部１３６は、ＬＤ’をＤＡ変換部１３７に出力し、ＲＤ’をＤＡ変換部１３８に出力する。
【００３２】
ＤＡ変換部１３７は、位相差強調部１３６からＬＤ’を受信し、ＬＤ’をＤＡ（Ｄｉｇｉｔａｌ  ｔｏ  Ａｎａｌｏｇ）変換する（ステップＳ１５２）。
次に、増幅器１３９は、ＬＤ’がＤＡ変換された結果であるアナログ信号を増幅し（ステップＳ１５３）、Ｌスピーカ１２１は前記増幅結果に基づき音声信号を放射する（ステップＳ１５４）。
【００３３】
また、ＲＤ’についてもＬＤ’と同様に、ＤＡ変換部１３８は、位相差強調部１３６からＲＤ’を受信し、ＲＤ’をＤＡ変換する（ステップＳ１５５）。
次に、増幅器１４０は、ＲＤ’がＤＡ変換された結果であるアナログ信号を増幅し（ステップＳ１５６）、Ｒ１２２が前記増幅結果に基づき音声信号を放射する。
ここで、用語の対応に関する補足説明を行う。
【００３４】
前記出力手段には、音源ＬＳＩが該当する。
前記判定手段には、開閉検出部１１０が該当する。
前記位相差強調手段には、音量検出部１３３、位相差検出部１３４、乗算器１３５、位相差強調部１３６、位相差強調部１３６、ＤＡ変換部１３７、ＤＡ変換部１３８、増幅器１３９、増幅器１４０が該当する。
＜変形例＞
なお、本発明を上記の実施の形態に基づいて説明してきたが、本発明は、上記の実施の形態に限定されないのはもちろんである。以下のような場合も本発明に含まれる。
【００３５】
（１）上記実施形態において、携帯電話機１００が開状態であるか、閉状態であるかによって、図５（ａ）、図５（ｂ）のいずれを用いて混合比率ｎを決定するかを切り替えていたが、これには限らず、ワイド効果を切り替えることにより、効果が得られる他のトリガに基づき切り替えることとしてもよい。
例えば、ユーザが携帯電話機１００を使用していない状態で、マイクロフォンに入力される音量を用いて混合比率ｎを切り替えてもよい。
【００３６】
具体的には、ワイド効果制御部１０１に替えて、図６に示すワイド効果制御部１０２を用いる。
ワイド効果制御部１０２は、ワイド効果制御部１０１における開閉検出部１１０を、入力音量検出手段１５２に置き換えたものである。入力音量検出部１５２には、マイクロフォン１５１が接続されている。
【００３７】
入力音量検出部１５２は、マイクロフォン１５１から取得する音声信号の振幅を測定し、振幅が、所定の大きさ以上である場合に、位相差強調部１３６に対して、上述の実施形態における閉状態に対応する値０を出力し、所定の大きさ未満である場合に、開状態に対応する値１を出力する。
これ以外の動作は、上述の実施形態と同じであるので、説明は省略する。
【００３８】
以上のように構成することにより、携帯電話機が静穏な環境に置かれた時には、良好なステレオ感（広がり感）を得られるようにし、騒音環境下などの劣悪な条件下ではステレオ感よりも明瞭感を優先して音楽再生を行い、もしくは明瞭な電話着信音によって着信に使用者が気付かないといった不具合を解決することができる。
ここで、マイクロフォン１５１が取得する音声（騒音レベル）について説明を補足する。
【００３９】
また、図書館レベルの騒音レベルが４０デシベルであり、騒々しい街中の騒音レベルが７０デシベルと一般に称されているため、４０デシベルの騒音時にマイクが収集する総音量時には最小値Ｎとなり、７０デシベルの騒音時にマイクが収集する騒音量時に最大値Ｎ’となるように、無段階に混合比率を割り振ることで、一般的な騒音に合わせたワイド効果を実現することが出来る。
【００４０】
しかしながら、上記条件においては、スピーカからの鳴音が考慮されていないため、自らの固体のスピーカからの鳴音をマイクが収集する感度（音響結合）に従って、上記のＮの割付を行うような考慮が必要となる。
音響結合は、携帯電話端末の筐体設計、マイク感度、スピーカ音量などによって様々であるから、一般に定式化することが困難である。しかしながら、ワイド効果の設計時に、携帯電話機のスピーカから鳴動させ、同時にマイクで音を収集するという測定を無響室で行うことで、容易に求めることが可能である。ここで、携帯電話機のスピーカから最大音量の鳴動をさせ、このときにマイクから収集され、入力音量検出部１５２にてＰの騒音量が得られた場合に、
図書館における騒音レベルを４０＋Ｐデシベルとし、街中の騒音レベルを７０＋Ｐデシベルとするなどのように、容易に定義することが可能である。
【００４１】
（２）上記実施形態においては、左右の音声信号を相互に減じてワイド効果を実現しているが、これには限らず、ステレオ音声におけるステレオ感を増加させる他の方法により実現することとしてもよい。例えば、左右の音声信号について、相互に、加算、乗算、減算等を行って、ワイド効果を実現するものとしてもよい。
（３）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。
【００４２】
（４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、半導体メモリなど、に記録したものとしてもよい。また、これらの記録媒体に記録されている前記コンピュータプログラム又は前記デジタル信号であるとしてもよい。
【００４３】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００４４】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（５）上記実施の形態及び上記変形例をそれぞれ組み合わせるとしてもよい。
【産業上の利用可能性】
【００４５】
本発明の携帯電話機は、騒音等環境音の大きい状況下や開閉式の携帯電話機が閉状態である場合に、ステレオ音声のワイド効果を適切に制御してステレオ音声のユーザによる聴取をし易くするものであり、携帯電話網における通信端末として使用される。
【図面の簡単な説明】
【００４６】
【図１】本発明の携帯電話機の正面図である。
【図２】本発明に係る携帯電話機の側面図である。
【図３】本発明に係る携帯電話機のワイド効果制御部の構成を示すブロック図である。
【図４】ワイド効果制御処理を示すフローチャートである。
【図５】開状態及び閉状態の各状態におけて使用する混合比率を示す図である。
【図６】変形例に係るワイド効果制御部の構成を示すブロック図である。
【符号の説明】
【００４７】
１００  携帯電話機
１０１  ワイド効果制御部
１０２  ワイド効果制御部
１２０  上部筐体
１３０  下部筐体
１１０  開閉検出部
１３１  ＡＤ変換部
１３２  ＡＤ変換部
１３３  音量検出部
１３４  位相差検出部
１３５  乗算器
１３６  位相差強調部
１３７  ＤＡ変換部
１３８  ＤＡ変換部
１３９  増幅器
１４０  増幅器
１２１  Ｌスピーカ
１２２  Ｒスピーカ
１５１  マイクロフォン
１５２  入力音量検出部
【図１】
2008060673.tif 000003
【図２】
2008060673.tif 000004
【図３】
2008060673.tif 000005
【図４】
2008060673.tif 000006
【図５】
2008060673.tif 000007
【図６】
2008060673.tif 000008